(57)【要約】【課題】補強リブが浴槽の表面形状に与える影響を抑えることができる浴槽を提供すること。【解決手段】型成形された樹脂製の浴槽１であって、浴槽本体２と、浴槽本体２の上部周縁に一体成形されたフランジ部３と、浴槽本体２の外側面及びフランジ部３の裏面に一体成形された補強リブ７と、を有し、補強リブ７は、分断されて形成されている。補強リブ７は、フランジ部３の付け根部３ａを挟んで分断されていてもよく、また、分断された補強リブ７１、７２間を繋ぐ補強ブラケット８を有していてもよい。【選択図】図５
2019037645.tif 000002
【特許請求の範囲】
【請求項１】
型成形された樹脂製の浴槽であって、
浴槽本体と、
前記浴槽本体の上部周縁に一体成形されたフランジ部と、
前記浴槽本体の外側面及び前記フランジ部の裏面に一体成形された補強リブと、を有し、
前記補強リブは、分断されて形成されている、浴槽。
【請求項２】
前記補強リブは、前記フランジ部の付け根部を挟んで分断されている、請求項１に記載の浴槽。
【請求項３】
分断された前記補強リブ間を繋ぐ補強ブラケットを有する、請求項１又は２に記載の浴槽。
【請求項４】
前記浴槽本体は、前記フランジ部と接する上部周縁に、部分的に上方に高く湾曲するように形成されたハイバック部を有し、
前記補強リブは、前記ハイバック部の裏面を挟んで分断されている、請求項１〜３のいずれか１項に記載の浴槽。
【請求項５】
前記型成形は、注型成形である、請求項１〜４のいずれか１項に記載の浴槽。
【請求項６】
前記樹脂は、熱硬化性樹脂である、請求項１〜５のいずれか１項に記載の浴槽。
【発明の詳細な説明】
【技術分野】
【０００１】
本発明は、浴槽に関し、詳しくは、浴槽本体の上部周縁にフランジ部を有し、浴槽本体及びフランジ部の裏面に補強リブを有する合成樹脂製の浴槽に関する。
【背景技術】
【０００２】
従来、型成形された樹脂製の浴槽が一般に知られている。このような浴槽は、浴槽本体の上部周縁に、浴槽本体と一体にフランジ部を有しており、このフランジ部を補強する目的で、浴槽本体の外側面からフランジ部の裏面にかけて一体に補強リブを有している（例えば、特許文献１参照）。
【先行技術文献】
【特許文献】
【０００３】
【特許文献１】特許第５５１３７７３号公報（図３（ｂ））
【発明の概要】
【発明が解決しようとする課題】
【０００４】
樹脂製の浴槽は、成形型のキャビティ内に樹脂を注入することによって成形される。この場合、樹脂が流れ込みにくい部位については、樹脂の流動性を良くするため、成形型の隙間量を大きくする必要がある。また、製品を容易に離型できるようにするため、所定の抜き勾配が設けられる必要もある。これらにより、樹脂製の浴槽において、樹脂が流れ込みにくい部位や抜き勾配が設けられた部位の根元部は、他の部位に比較して厚肉になる。
【０００５】
補強リブを有する浴槽は、補強リブに抜き勾配が設けられる。このため、補強リブの根元部は厚肉になる傾向がある。この傾向は、図６に示すように、浴槽本体１０１の上部周縁に、部分的に上方に高く湾曲するように形成されたハイバック部１０２を有する浴槽１００の場合に特に顕著である。このような浴槽１００の補強リブ１０４は、フランジ部１０３からハイバック部１０２を経由して浴槽本体１０１にかけて一体成形されるため、補強リブ１０４の根元部はハイバック部１０２の裏側の奥まった部位１０２ａ内にも入り込んでおり、抜き勾配により他の部位よりも厚肉になる傾向がある。また、この奥まった部位１０２ａは、樹脂が極めて流れにくいため、奥まった部位１０２ａにある補強リブ１０４は、補強リブ１０４の他の部位及び補強リブ１０４の周囲の浴槽本体１０１やフランジ部１０３に比べて部分的に厚肉とならざるを得ない。
【０００６】
このように補強リブに部分的に厚肉の部位が形成されると、補強リブの厚肉の部位とその周囲の薄肉の部位とで樹脂の冷却速度が異なることに起因して、補強リブの周囲全体で見た場合、収縮速度の差が生じ、遅れて収縮する厚肉の部位が、先に収縮する薄肉の部位に引っ張られる現象が起こる。その結果、浴槽の表面形状を悪化させる不具合が発生し、歩留まりが低下する問題がある。例えば、熱可塑性樹脂製の浴槽の場合、浴槽の表面にヒケや変形等の形状変化を発生させるおそれがある。また、熱硬化性樹脂製の浴槽の場合、浴槽に亀裂を発生させるおそれがある。
【０００７】
本発明は、このような従来事情に鑑みてなされたものであり、補強リブが浴槽の表面形状に与える影響を抑えることができる浴槽を提供することを目的とする。
【課題を解決するための手段】
【０００８】
（１）  本発明に係る浴槽は、型成形された樹脂製の浴槽（例えば、後述の浴槽１）であって、浴槽本体（例えば、後述の浴槽本体２）と、前記浴槽本体の上部周縁に一体成形されたフランジ部（例えば、後述のフランジ部３）と、前記浴槽本体の外側面及び前記フランジ部の裏面に一体成形された補強リブ（例えば、後述の補強リブ７）と、を有し、前記補強リブは、分断されて形成されている（例えば、後述の第１補強リブ７１、第２補強リブ７２）。
【０００９】
（２）  （１）に記載の浴槽において、前記補強リブは、前記フランジ部の付け根部（例えば、後述の付け根部３ａ）を挟んで分断されているものであってもよい。
【００１０】
（３）  （１）又は（２）に記載の浴槽において、分断された前記補強リブ間を繋ぐ補強ブラケット（例えば、後述の補強ブラケット８）を有するものであってもよい。
【００１１】
（４）  （１）〜（３）のいずれかに記載の浴槽において、前記浴槽本体は、前記フランジ部と接する上部周縁に、部分的に上方に高く湾曲するように形成されたハイバック部（例えば、後述のハイバック部４）を有し、前記補強リブは、前記ハイバック部の裏面を挟んで分断されているものであってもよい。
【００１２】
（５）  （１）〜（４）のいずれかに記載の浴槽において、前記型成形は、注型成形であってもよい。
【００１３】
（６）  （１）〜（５）のいずれかに記載の浴槽において、前記樹脂は、熱硬化性樹脂であってもよい。
【発明の効果】
【００１４】
本発明によれば、補強リブが浴槽の表面形状に与える影響を抑えることができる浴槽を提供することができる。
【図面の簡単な説明】
【００１５】
【図１】本発明に係る浴槽の一例を示す斜視図である。
【図２】本発明に係る浴槽の補強リブの一例を示す部分斜視図である。
【図３】本発明に係る浴槽の補強リブの一例を示す部分断面図である。
【図４】本発明に係る浴槽の補強リブに補強ブラケットを取り付けた構成の一例を示す部分斜視図である。
【図５】本発明に係る浴槽の補強リブに補強ブラケットを取り付けた構成の一例を示す部分断面図である。
【図６】従来の浴槽の補強リブの構成を示す部分断面図である。
【発明を実施するための形態】
【００１６】
以下、本発明の実施形態について図面を用いて説明する。
図１は、本発明に係る浴槽の一例を示す斜視図である。図２は、本発明に係る浴槽の補強リブを示す部分斜視図である。図３は、本発明に係る浴槽の補強リブを示す部分断面図である。
【００１７】
本発明に係る浴槽１は、型成形された樹脂製浴槽であり、浴槽本体２の上部周縁にフランジ部３を一体に有する。フランジ部３と接する浴槽本体２の上部周縁には、部分的に上方に高く湾曲するように形成されたハイバック部４を有している。ハイバック部４は、浴槽本体２の背もたれ側に配置され、フランジ部３の上面よりも上方に立ち上がるように形成されている。このハイバック部４の内側の浴槽本体２内には、ヘッドレスト５が設置されている。また、浴槽本体２の内側面には握りバー６が取り付けられている。
【００１８】
浴槽１は、浴槽本体２の外側面及びフランジ部３の裏面に補強リブ７を一体に有している。本発明における補強リブ７は、図６に示した従来の補強リブ１０４のように、フランジ部３からからハイバック部４を経由して浴槽本体２にかけて一体に連続して形成されたものではなく、フランジ部３から浴槽本体２に亘る方向において分断されて形成されている。
【００１９】
より詳細には、補強リブ７は、フランジ部３の裏面に一体成形された第１補強リブ７１と、浴槽本体２の外側面に一体成形された第２補強リブ７２とに分断されている。これら第１補強リブ７１と第２補強リブ７２は、フランジ部３の付け根部３ａを挟んで所定の間隔をおいて離れている。ハイバック部４は、第１補強リブ７１と第２補強リブ７２との間に配置されている。このため、補強リブ７は、ハイバック部４の裏面の奥まった部位４ａには入り込んでいない。
【００２０】
このように、補強リブ７は、第１補強リブ７１と第２補強リブ７２とに分断されているため、補強リブ７及びその周囲全体で見た場合、冷却時の収縮速度の差が発生しにくい。仮に収縮速度の差が発生したとしても、収縮速度の差に起因する引っ張り応力は、第１補強リブ７１と第２補強リブ７２とに亘って発生することはない。このため、補強リブ７が、全体として、フランジ部３から浴槽本体２にかけて引っ張り応力を作用させることはない。従って、この浴槽１によれば、補強リブ７が浴槽１の表面形状に与える影響を効果的に抑えることができる。
【００２１】
なお、補強リブ７は、図３に示すように、ハイバック部４の裏面に全く入り込んでおらず、ハイバック部４の裏面全体に亘って補強リブ７の分断部位が形成されているが、上記の効果を得るためには、補強リブ７の分断部位は、ハイバック部４の裏面に少しでも存在していればよい。
しかし、ハイバック部４の裏面の奥まった部位４ａは樹脂が流れ込みにくく、この奥まった部位４ａに形成される補強リブは他の部位に比べて更に厚肉となり、補強リブの冷却時の収縮速度の差が大きくなり易い。このため、本実施形態に示すように、補強リブ７の分断部位がハイバック部４の裏面全体に亘って形成されるようにすると、補強リブ７は収縮速度の差が大きな問題となる程の厚肉の部位を一体に有することがないため、浴槽１の表面形状に与える影響を抑制する効果はより確実に得られる。
【００２２】
また、一般に、フランジ部３の付け根部３ａは、浴槽本体２の上部周縁と接するため、型成形時に樹脂が流れ込みにくく、比較的厚肉に形成される部位である。このため、フランジ部３の付け根部３ａは、補強リブ７が冷却する際の収縮速度の差の影響を強く受ける傾向がある。しかし、本実施形態に示す補強リブ７は、このフランジ部３の付け根部３ａを挟んで分断されているため、補強リブ７が浴槽１の表面形状に与える影響をより効果的に抑えることができる。
【００２３】
次に、図４は、本発明に係る浴槽の補強リブに補強ブラケットを取り付けた構成の一例を示す部分斜視図である。図５は、本発明に係る浴槽の補強リブに補強ブラケットを取り付けた構成の一例を示す部分断面図である。
図４、図５に示すように、第１補強リブ７１と第２補強リブ７２に分断された補強リブ７は、これら第１補強リブ７１と第２補強リブ７２との間を繋ぐ補強ブラケット８を有することができる。これにより、分断された第１補強リブ７１と第２補強リブ７２は、補強ブラケット８によって一体に連結されるため、補強リブ７全体の強度が向上する。その結果、浴槽１の強度がより向上する。特に、フランジ部３の幅が大きい程、補強ブラケット８による補強リブ７の強度向上効果は顕著である。
【００２４】
補強ブラケット８は、第１補強リブ７１と第２補強リブ７２に亘る長さを有する１枚の板状部材からなる。板状部材は、例えば、ステンレス等の金属板、浴槽１と同種又は異種の材料からなる樹脂板、金属と樹脂とを積層した積層板等によって形成することができる。補強ブラケット８の具体的形状は、第１補強リブ７１と第２補強リブ７２に亘って連結可能であれば特に問わず、図示する形状に限定されない。補強ブラケット８は、離型後の浴槽１の第１補強リブ７１と第２補強リブ７２に対して、それぞれ複数箇所のボルト８１によって固定されている。また、補強ブラケット８は、離型後の浴槽１の第１補強リブ７１と第２補強リブ７２に対して接着されてもよい。
【００２５】
補強ブラケット８は、第１補強リブ７１と第２補強リブ７２の一方側面に１枚だけ取り付けられるものに限らない。図示しないが、補強ブラケット８は、第１補強リブ７１と第２補強リブ７２の両側面に１枚ずつ取り付けられてもよい。また、補強ブラケット８は、第１補強リブ７１と第２補強リブ７２の両側面に当接するように、断面Ｕ字状又は断面Ｖ字状に形成されてもよい。これらの構成によれば、補強リブ７全体の強度が更に向上するので、浴槽１の強度は更に向上する。
【００２６】
本発明において、浴槽１は注型成形によって成形されたものであってもよい。注型成形は、圧力を加えることなく成形型のキャビティ内に樹脂を流し込むため、樹脂が流れ込みにくい部位の成形型の隙間がより大きくなる。その結果、成形される補強リブは、厚肉の部位と薄肉の部位との差が大きくなり、冷却時の収縮速度の差が大きく現れる。しかし、本発明に係る浴槽１によれば、補強リブ７及びその周囲の冷却時の収縮速度の差による影響を抑制できるため、浴槽１が注型成形品である場合は特に顕著な効果が得られる。
【００２７】
本発明おいて、浴槽１を構成する樹脂は、熱可塑性樹脂、熱硬化性樹脂のいずれでもよい。特に熱硬化性樹脂の場合は、樹脂の硬化時に生じる熱が厚肉の部位にこもり易いため、厚肉の部位と薄肉の部位との冷却時の収縮速度の差によって亀裂が発生し易い。しかし、本発明に係る浴槽１によれば、熱硬化性樹脂を使用しても、補強リブ７及びその周囲の冷却時の収縮速度の差による影響を抑制できるため、亀裂の発生も抑制できる。
【００２８】
以上の実施形態では、浴槽１の四隅のうちのハイバック部４側の一箇所の隅部に補強リブ７及び補強ブラケット８を形成したが、補強リブ７及び補強ブラケット８は、ハイバック部４側の両隅部に形成してもよいし、浴槽１の四隅の全てに形成してもよい。また、補強リブ７及び補強ブラケット８は、浴槽の隅部以外の任意の部位に形成してもよい。
【００２９】
また、以上の実施形態では、ハイバック部４を有する浴槽１について説明したが、本発明に係る浴槽は、浴槽本体の上部周縁に、ハイバック部を介することなくフランジ部を一体に有する構成であってもよい。
【００３０】
更に、本発明における補強リブは、以上説明した第１補強リブ７１と第２補強リブ７２の２つに分断されるものに限定されず、３つ以上に分断されていてもよい。
【符号の説明】
【００３１】
１  浴槽
２  浴槽本体
３  フランジ部
３ａ  付け根部
４  ハイバック部
７  補強リブ
７１  第１補強リブ
７２  第２補強リブ
８  補強ブラケット
【図１】
2019037645.tif 000003
【図２】
2019037645.tif 000004
【図３】
2019037645.tif 000005
【図４】
2019037645.tif 000006
【図５】
2019037645.tif 000007
【図６】
2019037645.tif 000008